【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
カートリッジが着脱されるように構成された装着部を内部に有する装置本体と、
前記装着部に装着された前記カートリッジと前記装置本体との間に形成される隙間に挿入され、第１の規制方向における前記カートリッジの位置を規制する規制部材であって、挿入方向に移動して、前記装着部に対する前記カートリッジの着脱を許容する退避位置から、前記隙間に挿入される規制位置に移動可能に構成された規制部材と、を有し、
前記規制部材は対向面を有し、前記対向面は、前記規制部材が前記規制位置に位置した状態で、前記装着部に装着された前記カートリッジに対向するように構成され、
前記対向面は、前記挿入方向の上流側から下流側に向かうにつれて、前記第１の規制方向について前記カートリッジから離れるように構成されることを特徴とする画像形成装置。
【請求項２】
前記対向面は、前記挿入方向の上流側から下流側に向かうにつれて、前記第１の規制方向について前記カートリッジから離れるように階段状に構成されることを特徴とする請求項１に記載の画像形成装置。
【請求項３】
前記対向面は、前記挿入方向の上流側から下流側に向かうにつれて、前記第１の規制方向について前記カートリッジから離れる方向に延びる面であることを特徴とする請求項１に記載の画像形成装置。
【請求項４】
規制部材の太さは、前記挿入方向の上流側から下流側に向かうにつれて、細くなることを特徴とする請求項１乃至３のいずれか１項に記載の画像形成装置。
【請求項５】
前記規制部材を前記規制位置に向けて押圧する、移動可能な押圧ユニットを備えることを特徴とする請求項１乃至４のいずれか１項に記載の画像形成装置。
【請求項６】
前記カートリッジが前記装着部に装着される際に通過するための開口であって、前記装置本体に備えられた開口と、
前記開口を開閉するドアと、を有し、
前記規制部材は、前記ドアを閉める動作に連動して、前記隙間に挿入されることを特徴とする請求項１乃至５のいずれか１項に記載の画像形成装置。
【請求項７】
前記カートリッジが前記装着部に装着される際に通過するための開口であって、前記装置本体に備えられた開口と、
前記開口を開閉するドアと、を有し、
前記押圧ユニットは、前記ドアを閉める動作に連動して、前記規制部材を押圧するように構成されることを特徴とする請求項５に記載の画像形成装置。
【請求項８】
前記カートリッジを載せて、前記装置本体の内部と前記装置本体の外部の間で移動可能なトレイを有することを特徴とする請求項１乃至７のいずれか１項に記載の画像形成装置。
【請求項９】
前記第１の規制方向と異なる第２の規制方向について、前記カートリッジの位置を規制する異方向規制部材を備えることを特徴とする請求項１乃至８のいずれか１項に記載の画像形成装置。
【請求項１０】
前記挿入方向は前記カートリッジの長手方向と交差する方向であることを特徴とする請求項１乃至９のいずれか１項に記載の画像形成装置。
【請求項１１】
前記挿入方向について、前記規制部材が前記隙間に挿入される長さは、前記隙間が大きい場合に、前記隙間が小さい場合よりも長いことを特徴とする請求項１乃至１０のいずれか１項に記載の画像形成装置。
【請求項１２】
前記カートリッジは、像担持体を備え、
前記第１の規制方向は前記像担持体の回転軸線方向であることを特徴とする請求項１乃至１１のいずれか１項に記載の画像形成装置。
【請求項１３】
前記カートリッジは、現像剤を担持して潜像を現像する現像剤担持体を備え、
前記第１の規制方向は前記現像剤担持体の回転軸線方向であることを特徴とする請求項１乃至１１のいずれか１項に記載の画像形成装置。
【請求項１４】
第１のカートリッジと第２のカートリッジが着脱されるように構成された装着部を内部に有する装置本体と、
前記装着部に装着された前記第１のカートリッジと前記装置本体との間に形成される第１の隙間に挿入され、第１の規制方向における前記第１のカートリッジの位置を規制する第１の規制部材であって、第１の挿入方向に移動して、前記装着部に対する前記第１のカートリッジの着脱を許容する第１の退避位置から、前記第１の隙間に挿入される第１の規制位置に移動可能に構成された第１の規制部材と、
前記装着部に装着された前記第２のカートリッジと前記装置本体との間に形成される第２の隙間に挿入され、前記第１の規制方向における前記第２のカートリッジの位置を規制する第２の規制部材であって、第２の挿入方向に移動して、前記装着部に対する前記第２のカートリッジの着脱を許容する第２の退避位置から、前記第２の隙間に挿入される第２の規制位置に移動可能に構成された第２の規制部材と、を有し、
前記第１の規制部材は第１の対向面を有し、前記第１の対向面は、前記第１の規制部材が前記第１の規制位置に位置した状態で、前記装着部に装着された前記第１のカートリッジに対向するように構成され、
前記第１の対向面は、前記第１の挿入方向の上流側から下流側に向かうにつれて、前記第１の規制方向について前記第１のカートリッジから離れるように構成され、
前記第２の規制部材は第２の対向面を有し、前記第２の対向面は、前記第２の規制部材が前記第２の規制位置に位置した状態で、前記装着部に装着された前記第２のカートリッジに対向するように構成され、
前記第２の対向面は、前記第２の挿入方向の上流側から下流側に向かうにつれて、前記第１の規制方向について前記第２のカートリッジから離れるように構成されることを特徴とする画像形成装置。
【請求項１５】
前記第１の対向面は、前記第１の挿入方向の上流側から下流側に向かうにつれて、前記第１の規制方向について前記第１のカートリッジから離れるように階段状に構成され、
前記第２の対向面は、前記第２の挿入方向の上流側から下流側に向かうにつれて、前記第１の規制方向について前記第２のカートリッジから離れるように階段状に構成されることを特徴とする請求項１４に記載の画像形成装置。
【請求項１６】
前記第１の対向面は、前記第１の挿入方向の上流側から下流側に向かうにつれて、前記第１の規制方向について前記第１のカートリッジから離れる方向に延びる面であり、
前記第２の対向面は、前記第２の挿入方向の上流側から下流側に向かうにつれて、前記第１の規制方向について前記第２のカートリッジから離れる方向に延びる面であることを特徴とする請求項１４に記載の画像形成装置。
【請求項１７】
第１の規制部材の太さは、前記第１の挿入方向の上流側から下流側に向かうにつれて、細くなり、
第２の規制部材の太さは、前記第２の挿入方向の上流側から下流側に向かうにつれて、細くなることを特徴とする請求項１４乃至１６のいずれか１項に記載の画像形成装置。
【請求項１８】
前記第１の規制部材を前記第１の規制位置に向けて、かつ前記第２の規制部材を前記第２の規制位置に向けて、一体的に押圧する、移動可能な押圧ユニットを備えることを特徴とする請求項１４乃至１７のいずれか１項に記載の画像形成装置。
【請求項１９】
前記第１のカートリッジと前記第２のカートリッジが前記装着部に装着される際に通過するための開口であって、前記装置本体に備えられた開口と、
前記開口を開閉するドアと、を有し、
前記第１の規制部材は、前記ドアを閉める動作に連動して、前記第１の隙間に挿入され、前記第２の規制部材は、前記ドアを閉める動作に連動して、前記第２の隙間に挿入されることを特徴とする請求項１４乃至１８のいずれか１項に記載の画像形成装置。
【請求項２０】
前記第１のカートリッジと前記第２のカートリッジが前記装着部に装着される際に通過するための開口であって、前記装置本体に備えられた開口と、
前記開口を開閉するドアと、を有し、
前記押圧ユニットは、前記ドアを閉める動作に連動して、前記第１の規制部材と前記第２の規制部材を押圧するように構成されることを特徴とする請求項１８に記載の画像形成装置。
【請求項２１】
前記第１のカートリッジと前記第２のカートリッジを載せて、前記装置本体の内部と前記装置本体の外部の間で移動可能なトレイを有することを特徴とする請求項１４乃至２０のいずれか１項に記載の画像形成装置。
【請求項２２】
前記第１の規制方向と異なる第２の規制方向について、前記第１のカートリッジの位置を規制する第１の異方向規制部材と、
前記第２の規制方向について、前記第２のカートリッジの位置を規制する第２の異方向規制部材と、を備えることを特徴とする請求項１４乃至２１のいずれか１項に記載の画像形成装置。
【請求項２３】
前記第１の挿入方向は前記第１のカートリッジの長手方向と交差する方向であり、前記第２の挿入方向は前記第２のカートリッジの長手方向と交差する方向であることを特徴とする請求項１４乃至２２のいずれか１項に記載の画像形成装置。
【請求項２４】
前記第１の挿入方向について、前記第１の規制部材が前記第１の隙間に挿入される長さは、前記第１の隙間が大きい場合に、前記第１の隙間が小さい場合よりも長く、
前記第２の挿入方向について、前記第２の規制部材が前記第２の隙間に挿入される長さは、前記第２の隙間が大きい場合に、前記第２の隙間が小さい場合よりも長いことを特徴とする請求項１４乃至２３のいずれか１項に記載の画像形成装置。
【請求項２５】
前記第１のカートリッジは、像担持体を備え、
前記第１の規制方向は前記像担持体の回転軸線方向であることを特徴とする請求項１４乃至２４のいずれか１項に記載の画像形成装置。
【請求項２６】
前記第１のカートリッジは、現像剤を担持して潜像を現像する現像剤担持体を備え、
前記第１の規制方向は前記現像剤担持体の回転軸線方向であることを特徴とする請求項１４乃至２４のいずれか１項に記載の画像形成装置。
【手続補正２】
【補正対象書類名】明細書
【補正対象項目名】０００７
【補正方法】変更
【補正の内容】
【０００７】
上記目的を達成するため、本発明に係る画像形成装置は、カートリッジが着脱されるように構成された装着部を内部に有する装置本体と、前記装着部に装着された前記カートリッジと前記装置本体との間に形成される隙間に挿入され、第１の規制方向における前記カートリッジの位置を規制する規制部材であって、挿入方向に移動して、前記装着部に対する前記カートリッジの着脱を許容する退避位置から、前記隙間に挿入される規制位置に移動可能に構成された規制部材と、を有し、前記規制部材は対向面を有し、前記対向面は、前記規制部材が前記規制位置に位置した状態で、前記装着部に装着された前記カートリッジに対向するように構成され、前記対向面は、前記挿入方向の上流側から下流側に向かうにつれて、前記第１の規制方向について前記カートリッジから離れるように構成されることを特徴とする。
【手続補正３】
【補正対象書類名】明細書
【補正対象項目名】０００８
【補正方法】変更
【補正の内容】
【０００８】
また、本発明に係る別の画像形成装置は、第１のカートリッジと第２のカートリッジが着脱されるように構成された装着部を内部に有する装置本体と、前記装着部に装着された前記第１のカートリッジと前記装置本体との間に形成される第１の隙間に挿入され、第１の規制方向における前記第１のカートリッジの位置を規制する第１の規制部材であって、第１の挿入方向に移動して、前記装着部に対する前記第１のカートリッジの着脱を許容する第１の退避位置から、前記第１の隙間に挿入される第１の規制位置に移動可能に構成された第１の規制部材と、前記装着部に装着された前記第２のカートリッジと前記装置本体との間に形成される第２の隙間に挿入され、前記第１の規制方向における前記第２のカートリッジの位置を規制する第２の規制部材であって、第２の挿入方向に移動して、前記装着部に対する前記第２のカートリッジの着脱を許容する第２の退避位置から、前記第２の隙間に挿入される第２の規制位置に移動可能に構成された第２の規制部材と、を有し、前記第１の規制部材は第１の対向面を有し、前記第１の対向面は、前記第１の規制部材が前記第１の規制位置に位置した状態で、前記装着部に装着された前記第１のカートリッジに対向するように構成され、前記第１の対向面は、前記第１の挿入方向の上流側から下流側に向かうにつれて、前記第１の規制方向について前記第１のカートリッジから離れるように構成され、前記第２の規制部材は第２の対向面を有し、前記第２の対向面は、前記第２の規制部材が前記第２の規制位置に位置した状態で、前記装着部に装着された前記第２のカートリッジに対向するように構成され、前記第２の対向面は、前記第２の挿入方向の上流側から下流側に向かうにつれて、前記第１の規制方向について前記第２のカートリッジから離れるように構成されることを特徴とする。
【手続補正４】
【補正対象書類名】明細書
【補正対象項目名】００４５
【補正方法】変更
【補正の内容】
【００４５】
（プロセスカートリッジの位置規制）
図１０は、プロセスカートリッジＰＹ、ＰＭ、ＰＣ、ＰＫを装置本体１００内に装着する過程における、プロセスカートリッジＰＹ、ＰＭ、ＰＣ、ＰＫを押圧する押圧ユニット７０、規制部材７１を含む構成の斜視図である。図１１は、押圧ユニット７０に取り付けた長手方向へのプロセスカートリッジＰＹ、ＰＭ、ＰＣ、ＰＫへの移動を規制する規制部材７１、規制部材７１の規制方向と異なる方向である上下方向（鉛直方向）を規制する規制部材７４（異方向規制部材）を示す。
【手続補正５】
【補正対象書類名】明細書
【補正対象項目名】００５２
【補正方法】変更
【補正の内容】
【００５２】
一方、規制部材７１は長手方向においてプロセスカートリッジＰ側に位置する面を階段状の面とする。このようにして、規制部材７１の挿入方向下流から上流側へ向かうにつれて徐々に太くなるようにしている。つまり、好ましい形態として、規制部材７１は、本体側板１０１に近い側の面を長手方向と直交する面とし、プロセスカートリッジＰに近い側の面を階段状とすることで、プロセスカートリッジと装置本体との隙間に挿入される楔となるように構成されている。